(57)【要約】【課題】ＣＣ撮影における被検者のストレスを小さくでき、胸壁近傍まで乳房を撮影しやすく、かつ、ＭＬＯ撮影における被検者のストレスを小さくできるマンモグラフィ装置を提供する。【解決手段】マンモグラフィ装置１０は、被検者６０の胸壁６１に当接する当接面２３の少なくとも一部を切り欠く凹部３５を有する撮影台１３を備え、凹部３５は、当接面２３と上面２１とが接続する第１稜部３１、当接面２３と下面２２とが接続する第２稜部３２、当接面２３と第１側面２６Ａとが接続する第３稜部３３、及び、当接面２３と第２側面２６Ｂとが接続する第４稜線部３４のうち、第２稜部３２の少なくとも一部を切り欠き、かつ、第１稜部３１、第３稜部３３、及び、第４稜部３４を切り欠かない形状を有する。【選択図】図３
2019188026.tif 000002
【特許請求の範囲】
【請求項１】
Ｘ線撮影パネルに向けてＸ線を照射するＸ線照射部と、
前記Ｘ線撮影パネルと、前記Ｘ線撮影パネルの制御回路と、を含み、かつ、被検者の乳房を載せる上面と、前記上面に対向する下面と、前記上面及び前記下面と接続し、被検者の胸壁に当接する当接面と、前記上面、前記下面、及び、前記当接面と接続する第１側面及び第２側面と、前記当接面の少なくとも一部を切り欠く凹部と、を有する撮影台と、
を備え、
前記凹部は、前記当接面と前記上面とが接続する第１稜部、前記当接面と前記下面とが接続する第２稜部、前記当接面と前記第１側面とが接続する第３稜部、及び、前記当接面と前記第２側面とが接続する第４稜部のうち、前記第２稜部の少なくとも一部を切り欠き、かつ、前記第１稜部、前記第３稜部、及び、前記第４稜部を切り欠かない形状を有するマンモグラフィ装置。 
【請求項２】
前記凹部は、前記第２稜部の中央を含む前記第２稜部の一部にある請求項１に記載のマンモグラフィ装置。
【請求項３】
前記凹部は、前記第２稜部を面取りした構造である請求項１または２に記載のマンモグラフィ装置。
【請求項４】
前記凹部は、前記上面側に凸の曲面で形成されている請求項１〜３のいずれか１項に記載のマンモグラフィ装置。
【請求項５】
前記当接面から見た場合に、前記凹部と前記当接面との境界線の頂点が、前記第１側面と前記第２側面の中央にある請求項１〜４のいずれか１項に記載のマンモグラフィ装置。
【請求項６】
前記当接面から見た場合に、前記凹部は、前記Ｘ線撮影パネルの前記下面側にある請求項１〜５のいずれか１項に記載のマンモグラフィ装置。
【請求項７】
前記制御回路として、前記Ｘ線撮影パネルの前記下面側かつ前記第１側面側に配置する第１制御回路と、前記Ｘ線撮影パネルの前記下面側かつ前記第２側面側に配置する第２制御回路と、を備え、
前記当接面から見た場合に、前記凹部は、前記第１制御回路と前記第２制御回路との間にある請求項１〜６のいずれか１項に記載のマンモグラフィ装置。
【請求項８】
前記制御回路は、前記Ｘ線撮影パネルの前記下面側に配置し、
前記当接面から見た場合に、前記凹部は、前記制御回路よりも前記上面側に凸である請求項１〜７のいずれか１項に記載のマンモグラフィ装置。
【請求項９】
前記当接面から見た場合に、前記凹部の最も前記上面側の点は、前記制御回路の最も前記下面側の点を通り前記上面に平行な線よりも、前記上面側にある請求項８に記載のマンモグラフィ装置。
【請求項１０】
前記当接面から見た場合に、前記凹部の最も前記上面側の点は、前記制御回路の最も前記下面側の点を通り前記上面に平行な線と、前記制御回路の最も前記上面側の点を通り前記上面に平行な線と、の間にある請求項８または９に記載のマンモグラフィ装置。
【請求項１１】
前記制御回路は、前記Ｘ線撮影パネルの前記下面側に配置し、かつ、
前記当接面から見た場合に、前記制御回路は、前記凹部側の端部が前記上面に向けて傾斜している請求項１〜１０のいずれか１項に記載のマンモグラフィ装置。
【請求項１２】
前記第１側面及び前記第２側面は、前記当接面から少なくとも特定の範囲において、前記当接面と９０度に交わるストレート部を備える請求項１〜１１のいずれか１項に記載のマンモグラフィ装置。
【請求項１３】
前記当接面における前記凹部は、前記Ｘ線撮影パネルの１５％以上の長さを有する請求項１〜１２のいずれか１項に記載のマンモグラフィ装置。
【発明の詳細な説明】
【技術分野】
【０００１】
本発明は、Ｘ線を用いて乳房を撮影するマンモグラフィ装置に関する。
【背景技術】
【０００２】
頭尾方向撮影（いわゆるＣＣ撮影）において、被験者の腹部との物理的な干渉を避けるために、被検者側にかけて撮影台を薄く形成したマンモグラフィ装置が知られている（特許文献１）。また、撮影台の被検者に当接する部分を、上面と下面の間の高さ方向の全てにおいて湾曲した構造にしたマンモグラフィ装置が知られている（特許文献２）。
【先行技術文献】
【特許文献】
【０００３】
【特許文献１】特開平１１−７０１０７号公報
【特許文献２】特開２００４−１５４４０９号公報
【発明の概要】
【発明が解決しようとする課題】
【０００４】
乳がん検診においては、頭尾方向撮影（いわゆるＣＣ（craniocauda）撮影）と内外斜位方向撮影（いわゆるＭＬＯ（mediolateral oblique）撮影）を行う。ＣＣ撮影においては、被験者の腹部が撮影台と物理的に干渉して撮影台を胸壁に当接させにくい場合がある。この場合に、乳房を胸壁近傍まで撮影するために、むやみに撮影台を被検者に押し付けると、被検者の腹部を圧迫するので、被検者のストレスが大きい。例えば、被検者の胸壁に当接する当接面が上面と下面の間の高さ方向の全てにおいて湾曲した形状を有する従来のマンモグラフィ装置は、ＣＣ撮影において胸壁または腹部が圧迫される被検者のストレスを小さくし得るが、湾曲した当接面の奥（被検者から遠い側）にＸ線撮影パネルを配置しなければならないので、胸壁近傍の乳房（乳房の根元の部分）を撮影し難いというデメリットがある。
【０００５】
また、ＭＬＯ撮影においては、撮影台を傾けて（例えば撮影台を縦向きにして）撮影をするが、被検者が撮影台の側面に腕を載せることができない場合、被検者のストレスは大きい。
【０００６】
本発明は、ＣＣ撮影における被検者のストレスを小さくでき、上面と下面の間の高さ方向の全てにおいて当接面が湾曲した形状を有する従来のマンモグラフィ装置と比較して胸壁近傍まで乳房を撮影しやすく、かつ、撮影台の側面に腕を載せ難い従来のマンモグラフィ装置と比較してＭＬＯ撮影における被検者のストレスを小さくできるマンモグラフィ装置を提供することを目的とする。
【課題を解決するための手段】
【０００７】
本発明のマンモグラフィ装置は、Ｘ線撮影パネルに向けてＸ線を照射するＸ線照射部と、Ｘ線撮影パネルと、Ｘ線撮影パネルの制御回路と、を含み、かつ、被検者の乳房を載せる上面と、上面に対向する下面と、上面及び下面と接続し、被検者の胸壁に当接する当接面と、上面、下面、及び、当接面と接続する第１側面及び第２側面と、当接面の少なくとも一部を切り欠く凹部と、を有する撮影台と、を備え、凹部は、当接面と上面とが接続する第１稜部、当接面と下面とが接続する第２稜部、当接面と第１側面とが接続する第３稜部、及び、当接面と第２側面とが接続する第４稜線部のうち、第２稜部の少なくとも一部を切り欠き、かつ、第１稜部、第３稜部、及び、第４稜部を切り欠かない形状を有する。
【０００８】
凹部は、第２稜部の中央を含む第２稜部の一部にあることが好ましい。
【０００９】
凹部は、第２稜部を面取りした構造であることが好ましい。
【００１０】
凹部は、上面側に凸の曲面で形成されていることが好ましい。
【００１１】
当接面から見た場合に、凹部と当接面との境界線の頂点が、第１側面と第２側面の中央にあることが好ましい。
【００１２】
当接面から見た場合に、凹部は、Ｘ線撮影パネルの下面側にあることが好ましい。
【００１３】
制御回路として、Ｘ線撮影パネルの下面側かつ第１側面側に配置する第１制御回路と、Ｘ線撮影パネルの下面側かつ第２側面側に配置する第２制御回路と、を備え、当接面から見た場合に、凹部は、第１制御回路と第２制御回路との間にあることが好ましい。
【００１４】
制御回路は、Ｘ線撮影パネルの下面側に配置し、当接面から見た場合に、凹部は、制御回路よりも上面側に凸であることが好ましい。
【００１５】
当接面から見た場合に、凹部の最も上面側の点は、制御回路の最も下面側の点を通り上面に平行な線よりも、上面側にあることが好ましい。
【００１６】
当接面から見た場合に、凹部の最も上面側の点は、制御回路の最も下面側の点を通り上面に平行な線と、制御回路の最も上面側の点を通り上面に平行な線と、の間にあることが好ましい。
【００１７】
制御回路は、Ｘ線撮影パネルの下面側に配置し、かつ、当接面から見た場合に、制御回路は、凹部側の端部が上面に向けて傾斜していることが好ましい。
【００１８】
第１側面及び第２側面は、当接面から少なくとも特定の範囲において、当接面と９０度に交わるストレート部を備えることが好ましい。
【００１９】
当接面から見た場合に、凹部は、Ｘ線撮影パネルの１５％以上の長さを有することが好ましい。
【発明の効果】
【００２０】
本発明は、ＣＣ撮影における被検者のストレスを小さくでき、上面と下面の間の高さ方向の全てにおいて当接面が湾曲した形状を有する従来のマンモグラフィ装置と比較して胸壁近傍まで乳房を撮影しやすく、かつ、撮影台の側面に腕を載せ難い従来のマンモグラフィ装置と比較してＭＬＯ撮影における被検者のストレスを小さくできるマンモグラフィ装置を提供することができる。
【図面の簡単な説明】
【００２１】
【図１】マンモグラフィ装置の斜視図である。
【図２】ＣＣ撮影におけるＸ線撮影ユニットの向き（Ａ）と、ＭＬＯ撮影におけるＸ線撮影ユニットの向き（Ｂ）と、を示す説明図である。
【図３】撮影台の斜視図である。
【図４】撮影台が内蔵するＸ線撮影パネル等を示す説明図である。
【図５】Ｘ線撮影パネル等と凹部との位置関係を示す説明図である。
【図６】Ｘ線撮影パネル等の撮影台内における配置を示す説明図である。
【図７】ＣＣ撮影における撮影台の配置を示す説明図である。
【図８】撮影台中の長さのバランスを示す説明図である。
【図９】ＭＬＯ撮影における撮影台の配置を示す説明図である。
【図１０】凹部を第２稜部の全体に形成した変形例の説明図である。
【図１１】当接面における凹部の外周形状を矩形にした変形例の説明図である。
【図１２】凹部を曲面で形成した変形例の説明図である。
【図１３】凹部の頂点の位置を示す説明図である。
【図１４】位置調節前の撮影画像である。
【図１５】位置調節後の撮影画像である。
【図１６】第１側面及び第２側面のストレー部を示す平面図である。
【図１７】撮影台の内部で、制御回路を傾斜配置した変形例の説明図である。
【図１８】当接面における凹部の頂点の好適な位置を示す説明図である。
【図１９】制御回路を傾斜配置した場合の当接面における凹部の頂点の好適な位置を示す説明図である。
【図２０】片側読み出しをする場合の制御回路の配置例を示す説明図である。
【図２１】片側読み出しをする場合の制御回路の配置例を示す説明図である。
【図２２】片側読み出しをする場合の制御回路の配置例を示す説明図である。
【図２３】片側読み出しをする場合の制御回路の配置例を示す説明図である。
【図２４】撮影台の一部を面取りした例を示す説明図である。
【図２５】撮影台の一部を面取りした例を示す斜視図である。
【図２６】当接面を色分けした撮影台を示す斜視図である。
【図２７】当接面の形状の変形例を示す説明図である。
【発明を実施するための形態】
【００２２】
［第１実施形態］
図１に示すように、マンモグラフィ装置１０は、支柱１１、Ｘ線照射部１２、撮影台１３、圧迫板１６、及び、昇降部１７等を備える。マンモグラフィ装置１０は、Ｘ線を用いて、被検者６０（図７及び図９を参照）の乳房を撮影するＸ線撮影装置である。また、Ｘ線照射部１２、及び、撮影台１３は、Ｘ線撮影ユニットを構成する。
【００２３】
支柱１１は、Ｘ線撮影ユニット等を床面に対して所定の位置及び向きに固定する。Ｘ線照射部１２は、Ｘ線を発生するＸ線管を有しており、撮影台１３が内蔵するＸ線撮影パネル４１（図４参照）に向けてＸ線を照射する。
【００２４】
撮影台１３は被検者６０の乳房を載せるステージであり、撮影時には圧迫板１６を用いて乳房６２Ｌまたは乳房６２Ｒを挟持する。また、撮影台１３には、被検者６０が右手で把持する把持部１４ａと、被検者６０が左手で把持する把持部１４ｂと、が取り付けられる。把持部１４ａ及び把持部１４ｂはいわゆるアームレストである。したがって、撮影時に把持部１４ａまたは把持部１４ｂを把持することにより、被検者６０は腕等の重さを撮影台１３にあずけて、自身の姿勢を維持しやすくなる。
【００２５】
圧迫板１６は、撮影台１３に載せた乳房６２Ｌまたは乳房６２Ｒを圧迫し、乳房６２Ｌまたは乳房６２Ｒを扁平にする。正常な乳腺の重なりを少なくし、病変がある場合に、鮮明に病変を見つけやすくするためである。昇降部１７は、圧迫板１６を撮影台１３に対して昇降する。これにより、昇降部１７は、圧迫板１６を撮影台１３に対してほぼ平行に、かつ、乳房６２Ｌまたは乳房６２Ｒの厚さに応じた特定の距離に支持する。
【００２６】
図２に示すように、Ｘ線照射部１２及び撮影台１３等の支柱１１に取り付けられた各部は、相対的な位置及び向きを保ったまま、所定の角度範囲内で回転自在である。このため、マンモグラフィ装置１０は、撮影台１３を水平に配置して、または、撮影台１３を水平から傾斜した配置にして、撮影を行うことができる。具体的には、図２（Ａ）に示すように、マンモグラフィ装置１０は、撮影台１３を水平に配置し、乳房を頭尾方向から撮影するＣＣ撮影を行うことができる。また、図２（Ｂ）に示すように、マンモグラフィ装置１０は、撮影台１３を傾斜して配置し、乳房を内外斜位方向から撮影するＭＬＯ撮影をすることができる。なお、図示を省略するが、マンモグラフィ装置１０は、撮影台１３等を、図２（Ｂ）とは逆の方向に回転することができる。
【００２７】
図３に示すように、撮影台１３は、上面２１と、下面２２と、当接面２３と、第１側面２６Ａ及び第２側面２６Ｂと、凹部３５と、を有する。以下、上面２１がある側をＺ方向正側、下面２２がある側をＺ方向負側、当接面２３がある側をＸ方向正側、第１側面２６Ａがある側をＹ方向正側、第２側面２６Ｂがある側をＹ方向負側、とする。撮影台１３は、Ｘ方向負側の部分で支柱１１に接続し、かつ、支柱１１に対してＹＺ面内方向に回転する。また、撮影台１３または撮影台１３を構成する各部（各面）について「高さ」とはＺ方向の長さをいい、「幅」とはＹ方向の長さをいい、「奥行き」とはＸ方向の長さをいうものとする。
【００２８】
上面２１は、撮影対象である乳房を載せる面であり、少なくとも乳房を載せる範囲（Ｘ線撮影パネル４１がある範囲）において平面である。本実施形態においては、上面２１は、支柱１１側（Ｘ方向負側）において、当接面２３側（Ｘ方向正側）よりも凸になっているが、これはＸ線撮影パネル４１の制御回路等を内蔵しているからである。以下、特に言及しない限り、撮影台１３の上面２１とは、当接面２３側の平坦部分をいう。
【００２９】
下面２２は、撮影台１３のなかで、上面２１に対向する表面である。「対向する」とは、撮影台１３の形状において、上面２１に対して反対側にあることをいう。本実施形態においては、上面２１と下面２２は非平行であり、上面２１を基準とすれば、下面２２は所定角度傾斜している。下面２２の傾斜は概ね一定であり、当接面２３に近いほど上面２１との間隔が狭くなり、支柱１１に近いほど上面２１との間隔が広くなる。
【００３０】
当接面２３は、上面２１と下面２２と接続する撮影台１３の表面であって、撮影時に、被検者６０の胸壁に当接する。以下、当接面２３と上面２１とが接続する部分を第１稜部３１（稜部）といい、当接面２３と下面２２とが接続する部分を第２稜部３２（稜部）という。また、当接面２３と第１側面２６Ａとが接続する部分を第３稜部３３といい、当接面２３と第２側面２６Ｂとが接続する部分を第４稜部３４という。第１稜部３１は、当接面２３と上面２１とが形成する稜線の部分である。本実施形態においては、当接面２３と上面２１とが形成する稜線の部分を曲面で面取りしている。このため、当接面２３と上面２１の間にある曲面部分の全体が第１稜部３１である。同様に、第２稜部３２は、当接面２３と下面２２とが形成する稜線の部分であり、第３稜部３３は、当接面２３と第１側面２６Ａとが形成する稜線の部分であり、かつ、第４稜部３４は、当接面２３と第２側面２６Ｂとが形成する稜線の部分である。本実施形態においては、当接面２３と下面２２とが形成する稜線の部分、当接面２３と第１側面２６Ａとが形成する稜線の部分、及び、当接面２３と第２側面２６Ｂとが形成する稜線の部分をそれぞれ曲面で面取りしている。このため、当接面２３と下面２２の間にある曲面部分の全体が第２稜部３２であり、当接面２３と第１側面２６Ａの間にある曲面部分の全体が第３稜部３３であり、かつ、当接面２３と第２側面２６Ｂの間にある曲面部分の全体が第４稜部３４である。
【００３１】
凹部３５は、当接面２３の少なくとも一部を切り欠く。また、凹部３５は、第１稜部３１、第２稜部３２、第３稜部３３、及び、第４稜部３４のうち、第２稜部３２の少なくとも一部を切り欠き、かつ、第１稜部３１、第３稜部３３、及び、第４稜部３４を切り欠かない形状を有する。より具体的には、凹部３５は、全体として撮影台１３の内部に向けて凸の凹む部分であり、少なくとも第２稜部３２の一部または全部を含む範囲、かつ、第１稜部３１を含まない範囲にある。したがって、第２稜部３２は、その一部または全部が凹部３５によって凹んでいるが、第１稜部３１には凹部３５による凹みはない。このため、当接面２３の一部は、凹部３５があることによって欠けており、凹部３５がある範囲において当接面２３の高さは、当接面２３の他の部分における高さよりも小さい。また、凹部３５は、第３稜部３３及び第４稜部３４を含まない範囲にある。このため、第３稜部３３及び第４稜部３４には、凹部３５による欠損部分がない。
【００３２】
凹部３５は、第２稜部３２の一部または全部を、平面及び／または曲面を用いて面取りした構造である。このため、凹部３５は、下面２２を基準とした撮影台１３の高さ方向（Ｚ方向）の凹みであり、かつ、当接面２３を基準とした撮影台１３の奥行き方向（Ｘ方向）の凹みでもある。したがって、凹部３５は、ＹＺ面でみれば（例えば当接面２３を正面にみれば）下面２２から上面２１に向けて凸であり、かつ、ＸＹ面をみれば（例えば上面２１を正面にみれば）当接面２３から支柱１１側に凸である。また、凹部３５は、当接面２３の凹みである。同様に、凹部３５は、下面２２の凹みでもある。
【００３３】
本実施形態においては、凹部３５は、第２稜部３２の中央を含む第２稜部３２の一部にある。第２稜部３２の中央とは、第２稜部３２上において、第１側面２６Ａからの距離と第２側面２６Ｂからの距離がほぼ等しい点をいう。また、本実施形態においては、凹部３５は、上面２１側に凸の曲面で形成する。被検者６０を凹部３５の位置に位置合わせしやすいからである。「上面２１側に凸の曲面」とは、撮影台１３を当接面２３から見た場合に、凹部３５と当接面２３の境界線３６が、上面２１側に向けて凸状の曲線であることをいう。
【００３４】
なお、ＣＣ撮影をする場合とＭＬＯ撮影をする場合とで撮影台１３の向きが変化するが、撮影台１３はＹＺ面内方向に回転するので、どちらの撮影態様においても当接面２３が被検者６０の胸壁に当接する。
【００３５】
第１側面２６Ａ及び第２側面２６Ｂは、上面２１、下面２２、及び、当接面２３と接続する撮影台１３の表面である。第１側面２６Ａは、撮影台１３のＹ方向正側の側面である。第２側面２６Ｂは、撮影台１３のＹ方向負側の側面である。
【００３６】
図４に示すように、撮影台１３は、Ｘ線撮影パネル４１と、スイッチング回路４２と、第１読出回路４３Ａ及び第２読出回路４３Ｂと、を備える。
【００３７】
Ｘ線撮影パネル４１は、Ｘ線照射部１２が照射するＸ線を受けて、上面２１に載せた乳房を撮影する。これにより、マンモグラフィ装置１０は、撮影対象である乳房のＸ線画像を得る。Ｘ線撮影パネル４１は、Ｘ線を直接的にまたは間接的に電気信号に変換するいわゆるＦＰＤ（Flat Panel Detector）である。
【００３８】
スイッチング回路４２、第１読出回路４３Ａ、及び、第２読出回路４３Ｂは、Ｘ線撮影パネル４１の動作を制御する制御回路である。本実施形態においては、第１読出回路４３Ａは第１制御回路であり、第２読出回路４３Ｂは第２制御回路である。スイッチング回路４２は、Ｘ線撮影パネル４１から電気信号を読み出す画素の行（または列）を切り替える。第１読出回路４３Ａは、スイッチング回路４２が指定した画素の行のうち、第１読出回路４３Ａ側半分にある画素から順に電気信号を読み出す。第２読出回路４３Ｂは、スイッチング回路４２が指定した画素の行のうち、第２読出回路４３Ｂ側半分にある画素から順に電気信号を読み出す。Ｘ線撮影パネル４１と、スイッチング回路４２、第１読出回路４３Ａ、及び、第２読出回路４３Ｂと、は、例えば、可撓性を有する回路基板（単なるケーブルである場合を含む。以下、フレキシブル基板という）４６を用いて接続する。なお、フレキシブル基板４６には、必要に応じて、信号処理または画像処理等を行う集積回路等を実装できる。
【００３９】
スイッチング回路４２、第１読出回路４３Ａ、及び、第２読出回路４３Ｂは、フレキシブル基板４６を用いてＸ線撮影パネル４１と接続しているので、これらのの一部または全部は、撮影台１３の内部において、Ｘ線撮影パネル４１の下面２２側（以下、裏側という）に配置できる。本実施形態においては、図５に示すように、第１読出回路４３Ａと第２読出回路４３Ｂの両方を、Ｘ線撮影パネル４１の裏側に折り返して配置する。また、第１読出回路４３Ａは、第１側面２６Ａ側に配置し、第２読出回路４３Ｂは第２側面２６Ｂ側に配置する。撮影台１３を当接面２３から見た場合に、凹部３５は、第１読出回路４３Ａと第２読出回路４３Ｂの間の領域５１に形成する。第１読出回路４３Ａ及び第２読出回路４３Ｂの撮影台１３内部における配置と干渉せずに凹部３５を設けるためである。「第１読出回路４３Ａと第２読出回路４３Ｂの間」とは、当接面２３において（当接面２３を正面に見て）、第１読出回路４３Ａの最も第２側面２６Ｂ側の点から第２読出回路４３Ｂの最も第１側面２６Ａ側の点まで間である。また、凹部３５は、撮影台１３を当接面２３から見た場合に、少なくともＸ線撮影パネル４１の下面２２側に形成する。Ｘ線撮影パネル４１を胸壁と当接する当接面２３の極近傍まで近接して配置し、実効的な撮影領域を大きくするためである。
【００４０】
第１読出回路４３Ａ及び第２読出回路４３ＢをＸ線撮影パネル４１の裏側に配置したことにより、図６に示すように、撮影台１３は、支柱１１側（Ｘ方向負側）と比較して、当接面２３側（Ｘ方向正側）における第１側面２６Ａと第２側面２６Ｂの間隔が狭い。このため、第１側面２６Ａ及び第２側面２６Ｂの間隔が狭まった当接面２３の近傍において、撮影台１３は、非画像領域４９の幅（Ｙ方向の長さ）が小さい。非画像領域４９は、Ｘ線撮影パネル４１の撮影面が配置されていないためにＸ線画像に写らない領域である。なお、本実施形態においては、撮影台１３の幅は約３６０ｍｍであり、左右各々の非画像領域４９の幅は約３０ｍｍである。また、撮影台１３の支柱１１側の部分には、撮影台１３を支柱１１に接続し、支柱１１に対して撮影台１３を支持するための支持部材（図示しない）を内蔵する。このため、撮影台１３は、支柱１１側の部分は、当接面２３側よりも第１側面２６Ａと第２側面２６Ｂの間隔が広い。
【００４１】
本実施形態においては、スイッチング回路４２は、例えば、Ｘ線撮影パネル４１の支柱１１側に、Ｘ線撮影パネル４１とほぼ平行に配置する。また、Ｘ線撮影パネル４１は、その１辺がほぼ当接面２３まで到達する配置となっている。
【００４２】
上記のように構成したマンモグラフィ装置１０を用いてＣＣ撮影を行う場合、図７に示すように、撮影台１３を水平に配置し、当接面２３を被検者６０の胸壁６１に当接させる。この際、撮影台１３は凹部３５を有することにより、実際に被検者６０の胸壁６１に当接する部分において当接面２３の高さが、当接面２３の他の部分の高さよりも低くなっているので、容易に乳房６２Ｒと腹部６３との間に入り込むことができる。したがって、凹部３５を有しない撮影台を用いる従来のマンモグラフィ装置と比較すると、凹部３５を有する撮影台１３を用いるマンモグラフィ装置１０は、当接面２３を胸壁６１に当接させる際に腹部６３を押圧してしまうことによって被検者６０に与えるストレスが小さい。
【００４３】
また、被検者６０の胸壁６１を当接面２３に当接した状態は撮影が完了するまで維持する必要があるが、凹部３５がない場合と比較して、凹部３５を有する撮影台１３は、腹部６３の一部が凹部３５に入り込めるので、当接面２３を胸壁６１に当接した状態を維持する間に撮影台１３が腹部６３を圧迫することによる被検者６０のストレスは小さい。ＣＣ撮影の際に被検者６０に与えるストレスは、腹部６３が肥大しているほど大きいが、凹部３５を有する撮影台１３によれば、被検者６０の腹部６３が肥大している場合においても腹部６３の圧迫等によるストレスを小さくできる。
【００４４】
上記の他、撮影台１３は第２稜部３２に凹部３５を設け、凹部３５が第１稜部３１に達しない範囲（特にＸ撮影パネル４１の下面２２側）にあるので、Ｘ線撮影パネル４１の１辺はほぼ当接面２３にある。このため、当接面２３を被検者６０の胸壁６１に当接することにより、ほぼ胸壁６１から乳房６２Ｒの全体をＸ線画像に写すことができる。例えば、上面２１と下面２２の間の高さ方向の全てにおいて当接面２３が湾曲した形状を有する撮影台を用いる従来のマンモグラフィ装置は、当接面２３を湾曲によって凹ませた分、Ｘ線撮影パネル４１を支柱１１側に位置をずらして配置する必要があるので、第２稜部３２に凹部３５を設けた上記撮影台１３よりも撮影範囲が狭い。
【００４５】
図８に示すように、撮影台１３は、凹部３５を第２稜部３２に有するので、凹部３５の頂点Ｔ１から上面２１までの距離（以下、当接面２３の最小高さという）Ｌ１に関係なく、当接面２３における第１側面２６Ａ及び第２側面２６Ｂの高さＬ２を設定できる。凹部３５の頂点Ｔ１とは、凹部３５と当接面２３との境界線３６の頂点である。当接面２３の最小高さＬ１は例えば４５ｍｍであり、第１側面２６Ａ及び第２側面２６Ｂの高さＬ２は例えば６０ｍｍである。したがって、当接面２３における凹部３５の高さは例えば１５ｍｍである。
【００４６】
上記の当接面２３の最小高さＬ１は、凹部３５の形状に係る作用（腹部６３の圧迫感の低減等）と、Ｘ線撮影パネル４１等の発熱部品の放熱性と、Ｘ線撮影パネル４１等の発熱部品から凹部３５を介して被検者６０への熱の伝わり難さと、Ｘ線撮影パネル４１等の精密部品に凹部３５等からの衝撃の伝わり難さ等を総合的に考慮した最適値である。当接面２３の最小高さＬ１は、６０ｍｍ以下であることが好ましい。体格が異なる複数の被検者６０に対しても凹部３５を設けた効果を得やすいからである。
【００４７】
上記第１側面２６Ａ及び第２側面２６Ｂの高さＬ２は、ＭＬＯ撮影をする際に、被検者６０が第１側面２６Ａまたは第２側面２６Ｂに腕の載せやすい高さである。図９に示すように、左の乳房６２ＬをＭＬＯ撮影する場合、ＭＬＯ撮影をする際には撮影台１３を傾けた状態で当接面２３を胸壁６１に当接させる。この際、被検者６０は例えば左肩６６Ｌ（または左腋窩）を概ね当接面２３と第２側面２６Ｂの稜部に合わせ、かつ、左腕６７Ｌ及び左肘６８Ｌを第２側面２６Ｂに載せることができる。これにより、被検者６０は、自身の姿勢を容易に保つことができるので、第２側面２６Ｂに左腕６７Ｌを載せ難い撮影台を用いる場合と比較して、ＭＬＯ撮影における被検者６０のストレスは小さい。その後、左の乳房６２Ｌを上面２１に載せ、圧迫板１６で扁平に圧迫した状態でＭＬＯ撮影を行う。右の乳房６２ＲをＭＬＯ撮影する場合も同様である。
【００４８】
上記のように、ＭＬＯ撮影をする際に、第１側面２６Ａまたは第２側面２６Ｂに腕または肘を載せられるようにし、被検者６０のストレスを小さくできるのは、撮影台１３が、凹部３５を第２稜部３２に設けたことによる。すなわち、撮影台１３が凹部３５を第２稜部３２に設けたことにより、凹部３５の寸法に関係なく、第１側面２６Ａ及び第２側面２６Ｂの高さＬ２を、ＭＬＯ撮影の際に被検者６０が腕等を載せやすい高さに設定できるからである。
【００４９】
例えば、ＣＣ撮影における撮影台１３による圧迫等のストレスだけを考慮すれば、第１側面２６Ａ及び第２側面２６Ｂも含めて撮影台１３の当接面２３の部分を、例えばＸ線撮影パネル４１の厚さ程度に、できる限り薄くしてしまうことが考えられる。しかし、第１側面２６Ａ及び第２側面２６Ｂも含めて当接面２３の部分を最小限の厚さにする場合、第１側面２６Ａ及び第２側面２６Ｂの高さＬ２が確保できないので、ＭＬＯ撮影をする際に第１側面２６Ａまたは第２側面２６Ｂに腕等を載せ難い。
【００５０】
なお、上記第１実施形態においては、撮影台１３を当接面２３から見た場合に、凹部３５の幅Ｗ１（図８参照）は例えば２０９ｍｍである。これはマンモグラフィ装置で通常用いるＸ線撮影パネル４１の幅（３００ｍｍ）の約７０％であり、第１読出回路４３Ａ及び第２読出回路４３Ｂの撮影台１３の内部における配置と干渉しない最大寸法である。Ｘ線撮影パネル４１の幅とは、Ｘ線撮影パネル４１のうち、撮影に寄与する画素で形成する撮影面の長さである。また、凹部３５から第１側面２６Ａまたは第２側面２６Ｂの距離である幅Ｗ２（図８参照）は、例えば７５．５ｍｍである。
【００５１】
凹部３５の幅Ｗ１は、約４５ｍｍ以上であることが好ましく、約４８ｍｍ以上であることがより好ましく、約５０ｍｍ以上であることが特に好ましい。これは、少なくとも３００ｍｍ幅のＸ線撮影パネル４１を用いる場合に、被検者６０が凹部３５の作用を実感しやすい最小限の寸法である。Ｘ線撮影パネル４１の幅を基準とする場合には、凹部３５の幅Ｗ１は、Ｘ線撮影パネル４１の幅の約１５％以上の長さであることが好ましく、約１６％以上の長さであることが好ましく、約１７％以上の長さであることが特に好ましい。これは、幅が上記と異なるＸ線撮影パネル４１を用いる場合においても、被検者６０が凹部３５の作用を実感しやすいと考えられる最小限の寸法である。
【００５２】
凹部３５を設けた作用を得る点については、凹部３５の幅Ｗ１の上限は当接面２３の幅である。すなわち、第１読出回路４３Ａ及び第２読出回路４３Ｂ等の内部配置と干渉しなければ、図１０に示すように、凹部３５は、実質的に第２稜部３２の全体に設けても良い。但し、凹部３５と、第１側面２６Ａまたは第２側面２６Ｂと、の距離である幅Ｗ２（図８参照）は、例えば、５０ｍｍ以上であることが好ましく、６０ｍｍ以上であることがより好ましく、７５ｍｍ以上であることが特に好ましい。撮影台１３を形成する材料及び厚さに特別な配慮をしなくても、第１側面２６Ａまたは第２側面２６Ｂへの腕等を載せるＭＬＯ撮影に耐え得る筐体強度を確保しやすいからである。
【００５３】
上記第１実施形態においては、凹部３５を上面２１側に凸の曲面で形成しているが、凹部３５は他の形状にすることができる。例えば、図１１に示す境界線７２のように、凹部３５と当接面２３の境界線は必ずしも曲線にする必要はなく、１または複数の直線で形成できる。また、上記第１実施形態においては、凹部３５は、下面２２において凹部３５の内部に明瞭なエッジ（稜線）を有するが（図７参照）、図１２に示すように、凹部３５は、下面２２において明瞭なエッジを有しない曲面７３で形成できる。
【００５４】
なお、第１側面２６Ａと当接面２３とを接続する稜部、及び、第２側面２６Ｂと当接面２３とを接続する稜部は、面取りしていることが好ましい。ＭＬＯ撮影において、被検者６０の腋窩と滑らかに当接しやすくなり、結果として、ＭＬＯ撮影時に被検者６０に与えるストレスを小さくできるからである。同様の理由から、第１側面２６Ａと当接面２３とを接続する稜部、及び、第２側面２６Ｂと当接面２３とを接続する稜部は、曲面で面取りしていることが特に好ましい。そして、第１側面２６Ａと当接面２３とを接続する稜部、及び、第２側面２６Ｂと当接面２３とを接続する稜部を曲面で面取りする場合、その曲率半径は大きいことが好ましい。第１側面２６Ａと当接面２３とを接続する稜部、及び、第２側面２６Ｂと当接面２３とを接続する稜部を構成する曲面の曲率半径は、例えば、３．５ｍｍ以上であることが好ましい。
【００５５】
［第２実施形態］
第１実施形態においては、当接面２３から見た場合に、凹部３５の形状は上面２１側に凸であればよいが、凹部３５の形状は単に上面２１側に凸であるだけでなく、図１３に示すように、凹部３５の頂点Ｔ１（すなわち凹部３５と当接面２３との境界線３６の頂点Ｔ１）は、第１側面２６Ａと第２側面２６Ｂのほぼ中央にあることが好ましい。すなわち、当接面２３上において、第１側面２６Ａからの距離と第２側面２６Ｂからの距離とがほぼ等しい線７７上に頂点Ｔ１があることが好ましい。このように、凹部３５の頂点Ｔ１が第１側面２６Ａと第２側面２６Ｂの中央にある場合、胸壁６１を当接面２３に当接することによって、被検者６０は撮影台１３の中央に案内（いわゆるセンタリング）されやすい。このため、左右の乳房６２Ｌ，６２Ｒにつき、それぞれＣＣ撮影とＭＬＯ撮影をする場合に、いずれの撮影においても、被検者６０は撮影台１３に対してほぼ定まった位置にいることになる。
【００５６】
乳がん検診においては、右の乳房６２Ｒと左の乳房６２Ｌの各画像を左右に並べて配置した１枚のＸ線画像を提供するが、撮影台１３が凹部３５を有しない場合、または、凹部３５の頂点Ｔ１が第１側面２６Ａと第２側面２６Ｂの中央から大きく外れている場合、撮影台１３に対する被検者６０の位置は撮影ごとに異なるので、通常は、図１４に示すＸ線画像８１のように、左右の乳房６２Ｒ，６２Ｌの像の位置がずれる。このため、図１５に示すように、Ｘ線撮影技師は、左右の乳房６２Ｒ，６２Ｌの位置を調節したＸ線画像８２を生成して読影医に提供する。一方、撮影台１３に凹部３５があり、かつ、凹部３５の頂点Ｔ１が第１側面２６Ａと第２側面２６Ｂのほぼ中央にある場合、被検者６０は撮影台１３に対してほぼ定まった位置にいるので、はじめから左右の乳房６２Ｒ，６２Ｌの位置を調節したＸ線画像８２と同等のＸ線画像を得やすい。
【００５７】
［第３実施形態］
上記第１実施形態及び第２実施形態においては、第１側面２６Ａ及び第２側面２６Ｂの形状はほぼ任意であるが、図１６に示すように、第１側面２６Ａ及び第２側面２６Ｂは、当接面２３から少なくとも特定の範囲において、当接面２３と約９０度に交わるストレート部８８を備えることが好ましい。第１側面２６Ａ及び第２側面２６Ｂがストレート部８８を有する場合、被検者６０は、ＭＬＯ撮影において、第１側面２６Ａまたは第２側面２６Ｂに腕等を載せやすい。具体的には、被検者６０は、いわゆる四十肩等のために腕を高く上げにくい場合があるが、このような被検者６０でも、第１側面２６Ａ及び第２側面２６Ｂにストレート部８８がある場合には、腕及び肘を肩の高さ程度に持ち上げることができれば、第１側面２６Ａ及び第２側面２６Ｂに腕及び肘を載せることができる。そして、第１側面２６Ａ及び第２側面２６Ｂに腕及び肘を載せた後は、ストレート部８８があることで、肩に無理な力を入れ続ける必要はなく、撮影台１３に腕の重さをあずけて、楽に撮影に望むことができる。例えば、ストレート部８８がなく、第１側面２６Ａ及び第２側面２６Ｂの全体が支柱１１側から当接面２３側にかけて傾斜している場合には、その傾斜角度まで腕及び肘を持ち上げなければならず、第１側面２６Ａ及び第２側面２６Ｂに腕及び肘を載せ続けるために、肩の緊張を緩め難い。
【００５８】
なお、特定の範囲とは、例えば、当接面２３から約６５ｍｍである。この程度の長さのストレート部８８があれば、ストレート部８８がない場合よりも第１側面２６Ａ及び第２側面２６Ｂに腕及び肘を載せやすく、第１側面２６Ａ及び第２側面２６Ｂに腕及び肘を載せた後もその姿勢を維持しやすくなる。ストレート部８８を設ける特定の範囲は、当接面２３から３０ｍｍ以上であることが好ましく、６５ｍｍ以上であることが特に好ましい。また、ストレート部８８を設ける特定の範囲には、上限はなく、撮影台１３の内部配置等が許せば、第１側面２６Ａ及び第２側面２６Ｂの全体をストレート部８８にしてもよい。
【００５９】
［第４実施形態］
上記第１実施形態においては、撮影台１３の内部において、第１読出回路４３Ａと第２読出回路４３Ｂを上面２１及びＸ線撮影パネル４１と平行に配置しているが、第１読出回路４３Ａ及び第２読出回路４３Ｂ等の制御回路は、撮影台１３の内部において傾斜して配置できる。特に、第１読出回路４３Ａ及び第２読出回路４３Ｂ等の制御回路を、Ｘ線撮影パネル４１の下面２２側に配置する場合、これらの制御回路は、撮影台１３を当接面２３から見た場合に、凹部３５側の端部が上面２１に向けて傾斜していることが好ましい。
【００６０】
具体的には、図１７に示すように、撮影台１３を当接面２３から見た場合に、第１読出回路４３Ａの凹部３５側の端部を上面２１側に持ち上げることにより、凹部３５側の端部をフレキシブル基板４６が接続する端部よりもＸ線撮影パネル４１に近づけた傾斜配置をする。そして、第２読出回路４３Ｂは、凹部３５側の端部を上面２１側に持ち上げることにより、凹部３５側の端部をフレキシブル基板４６と接続する端部よりもＸ線撮影パネル４１に近づけた傾斜配置をする。
【００６１】
このように、第１読出回路４３Ａ及び第２読出回路４３Ｂを撮影台１３の内部で傾斜配置する場合、第１読出回路４３Ａと第２読出回路４３Ｂとの間の領域９１は、第１実施形態等の第１読出回路４３Ａと第２読出回路４３Ｂの間の領域５１（図５参照）よりも広くできる。その結果、第１実施形態のように第１読出回路４３Ａ及び第２読出回路４３ＢをＸ線撮影パネル４１及び上面２１に対して平行に配置する場合と比較して、凹部３５を大きくすることができる。撮影台１３は、凹部３５が大きいほどＣＣ撮影において被検者６０の腹部６３を圧迫せずに済み、被検者６０のストレスを小さくできる。また、第１読出回路４３Ａ及び第２読出回路４３Ｂにはコネクタ等の実装部品があるが、第１読出回路４３Ａ及び第２読出回路４３Ｂを傾斜配置する場合には、これらの実装部品を薄型化できる場合がある。
【００６２】
なお、上記第４実施形態においては、第１読出回路４３Ａ及び第２読出回路４３Ｂの両方を傾斜配置しているが、第１読出回路４３Ａまたは第２読出回路４３Ｂの一方だけを傾斜配置してもよい。この場合も、撮影台１３を当接面２３から見た場合の第１読出回路４３Ａと第２読出回路４３Ｂとの間の領域は、第１実施形態等の第１読出回路４３Ａと第２読出回路４３Ｂの間の領域５１よりも大きくできるからである。
【００６３】
［第５実施形態］
上記第１実施形態から第４実施形態のようにＸ線撮影パネル４１の下面２２側（裏側）に第１読出回路４３Ａ及び／または第２読出回路４３Ｂ等の制御回路を配置する場合、凹部３５は、撮影台１３を当接面２３から見た場合にこれらの制御回路よりも上面２１側に凸であることが好ましい。具体的には、図１８に示すように、撮影台１３を当接面２３から見た場合に、凹部３５の最も上面２１側の点である頂点Ｔ１が、第１読出回路４３Ａ及び第２読出回路４３Ｂの最も下面２２側の点を通り上面２１に平行な線Ｆ１よりも、上面２１側にあるように凹部３５を形成する。すなわち、撮影台１３を当接面２３から見た場合に、凹部３５を、第１読出回路４３Ａと第２読出回路４３Ｂの間に入り込む大きさに形成する。こうすると、凹部３５の作用を得つつ、撮影台１３をコンパクトに形成できる。また、線Ｆ１よりも下面２２側に頂点Ｔ１がある場合よりも、凹部３５の高さが大きくなるので、どのような体格の被検者６０でも凹部３５の作用が得られやすい。
【００６４】
また、撮影台１３を当接面２３から見た場合に、凹部３５の最も上面２１側の点である頂点Ｔ１は、Ｘ線撮影パネル４１の下面２２側に配置する制御回路の最も上面２１側の点を通り上面２１に平行な線Ｆ２よりも下面２２側にあることが好ましい。すなわち、凹部３５は、頂点Ｔ１が線Ｆ１と線Ｆ２の間にあるように形成することが好ましい。頂点Ｔ１が線Ｆ１よりも上面２１側にあることで、撮影台１３をコンパクトに形成できる他、頂点Ｔ１が線Ｆ２よりも下面２２側にあることで、Ｘ線撮影パネル４１の撮影台１３内部における最小限の放熱スペースを確保でき、Ｘ線撮影パネル４１が発生する熱が凹部３５を介して被検者６０に伝わり難くでき、かつ、被検者６０の接触等による衝撃が凹部３５を介してＸ線撮影パネル４１等の精密部品に伝わり難くすることができる。
【００６５】
図１９に示すように、第１読出回路４３Ａ及び／または第２読出回路４３Ｂ等のＸ線撮影パネル４１の下面２２側に配置する制御回路を、撮影台１３の内部で傾斜配置する場合も同様である。この場合、Ｘ線撮影パネル４１の下面２２側に配置する制御回路をＸ線撮影パネル４１及び上面２１と平行に配置する場合（図１９参照）と比較して、線Ｆ１と線Ｆ２の間隔が大きくなる。その結果、Ｘ線撮影パネル４１の下面２２側に配置する制御回路をＸ線撮影パネル４１及び上面２１と平行に配置する場合よりも、凹部３５を大きく形成できるので、ＣＣ撮影において、撮影台１３による腹部６３の圧迫が小さくなり、被検者６０のストレスを小さくできる。
【００６６】
なお、凹部３５の形状が上面２１側に凸の曲面でない場合（図１１参照）、凹部３５の頂点とは、当接面２３と凹部３５の境界線のうち、最も上面２１側にある点の集合（線）である。例えば、図１１においては、境界線７２のうち、上面２１に平行な部分の全体が、凹部３５の頂点に相当する。これは第５実施形態以外の各実施形態においても同様である。
【００６７】
上記第１実施形態から第５実施形態においては、Ｘ線撮影パネル４１からの信号の読み出しを高速化するために、撮影台１３は、第１読出回路４３Ａと第２読出回路４３Ｂの２つの読出回路を設け、Ｘ線撮影パネル４１の両側から読み出しを行うが、Ｘ線撮影パネル４１はいわゆる片側読み出しをすることができる。すなわち、図２０及び図２１に示すように、撮影台１３は、第１読出回路４３Ａ及び第２読出回路４３Ｂの代わりに、片側読み出し用の読出回路１４３Ａを備えることができる。この場合も、凹部３５の形状、位置及び大きさ等に係る条件は、第１実施形態から第５実施形態と同様である。
【００６８】
片側読み出しをする場合、図２２及び図２３に示すように、スイッチング回路４２と片側読み出し用の読出回路１４３Ａの撮影台１３及びＸ線撮影パネル４１に対する配置を入れ替え、スイッチング回路４２をＸ線撮影パネル４１の下面２２側に配置できる。スイッチング回路４２は、Ｘ線撮影パネル４１の制御回路であるから、凹部３５の形状、位置及び大きさ等に係る条件は、第１実施形態から第５実施形態と同様である。
【００６９】
なお、第１実施形態から第５実施形態の撮影台１３及び変形例の撮影台１３は、ＣＣ撮影とＭＬＯ撮影の切り替えのために支柱１１に対して回転するので、撮影台１３の一部または全部の表面は面取りしておくことが好ましい。撮影台１３を回転する際に、撮影台１３が被検者６０の膝や被検者６０が乗る車椅子等と衝突するのを避けるためである。図２４に示すように、撮影台１３を含むＸ線撮影ユニットが回転中心Ｃ０の周りに回転する場合、例えば、撮影台１３の部分２２Ａ及び部分２２Ｂを除くことによって、回転半径Ｒ０を、部分２２Ａ及び部分２２Ｂを除かない場合（破線）と比較して、回転半径Ｒ０を小さくできる。この場合、図２５に示すように、下面２２と第１側面２６Ａは例えば平面９６Ａで接続し、かつ、下面２２と第２側面２６Ｂは平面９６Ｂで接続する。
【００７０】
なお、上記のように撮影台１３の回転を考慮した面取りの仕方は任意であり、上記のように面取りによって平面９６Ａ及び平面９６Ｂを形成してもよく、上記面取りによって、凹面、凸面、もしくはその他の曲面、または、任意サイズ及び形状の平面と曲面の組み合わせを形成してもよい。また、撮影台１３の回転を考慮した面取りは、撮影台１３の下面２２を構成する部分２２Ａ，２２Ｂに対してだけでなく、第１側面２６Ａ及び第２側面２６Ｂに及んでも良い。
【００７１】
上記第１実施形態から第５実施形態の撮影台１３及び変形例の撮影台１３は、図２６に示すように、当接面２３の上面２１側の部分２３Ａと、当接面２３の下面２２側の部分２３Ｂとで、相互に色が異なることが好ましい。当接面２３の上面２１側の部分２３Ａと、当接面２３の下面２２側の部分２３Ｂと、を異なる色に配色すると、被検者６０は、当接面２３の上面２１側の部分２３Ａを撮影台１３の高さ（厚さ）と捉える。このため、少なくともＣＣ撮影における被検者６０の心理的圧迫感を小さくできる。例えば、撮影台１３の上面２１が黒色である場合、当接面２３の上面２１側の部分２３Ａは、上面２１と同じ黒色とし、当接面２３の下面２２側の部分２３Ｂは白色にすることができる。
【００７２】
上記第１実施形態から第５実施形態の撮影台１３及び変形例の撮影台１３は、当接面２３を単一の平面以外の形状に形成できる。例えば、図２７に示すように、当接面２３の上面２１側の部分２３Ａを、上面２１にほぼ垂直な平面とし、かつ、当接面２３の下面２２側の部分２３Ｂを、部分２３Ａに対して傾斜した平面とすることができる。また、上面２１側の部分２３Ａ及び／または下面２２側の部分２３Ｂのいずれか一方、または、両方を、曲面で形成してもよい。このように、当接面２３を単一の平面以外の形状にする場合、例えばＣＣ撮影において当接面２３が実際に被検者６０に当接する面積を小さくできるので、結果として被検者６０のストレスを小さくできる。
【符号の説明】
【００７３】
１０  マンモグラフィ装置
１１  支柱
１２  Ｘ線照射部
１３  撮影台
１４ａ、１４ｂ  把持部
１６  圧迫板
１７  昇降部
２１  上面
２２  下面
２２Ａ，２２Ｂ  撮影台の部分
２３  当接面
２３Ａ、２３Ｂ  当接面の部分
２６Ａ  第１側面
２６Ｂ  第２側面
３１  第１稜部
３２  第２稜部
３３  第３稜部
３４  第４稜部
３５  凹部
３６、７２  境界線
４１  Ｘ線撮影パネル
４２  スイッチング回路
４３Ａ  第１読出回路
４３Ｂ  第２読出回路
４６  フレキシブル基板
４９  非画像領域
５１  領域
６０  被検者
６１  胸壁
６２Ｌ，６２Ｒ  乳房
６３  腹部
６６Ｌ  左肩
６７Ｌ  左腕
６８Ｌ  左肘
７３  曲面
７７  線
８１、８２  Ｘ線画像
８８  ストレート部
９１  領域
９６Ａ、９６Ｂ  平面
１４３Ａ  片側読み出し用の読出回路
Ｃ０  回転中心
Ｆ１、Ｆ２  線
Ｌ１  当接面の最小高さ
Ｒ０  回転半径
Ｔ１  頂点
Ｗ１、Ｗ２  幅
【図１】
2019188026.tif 000003
【図２】
2019188026.tif 000004
【図３】
2019188026.tif 000005
【図４】
2019188026.tif 000006
【図５】
2019188026.tif 000007
【図６】
2019188026.tif 000008
【図７】
2019188026.tif 000009
【図８】
2019188026.tif 000010
【図９】
2019188026.tif 000011
【図１０】
2019188026.tif 000012
【図１１】
2019188026.tif 000013
【図１２】
2019188026.tif 000014
【図１３】
2019188026.tif 000015
【図１４】
2019188026.tif 000016
【図１５】
2019188026.tif 000017
【図１６】
2019188026.tif 000018
【図１７】
2019188026.tif 000019
【図１８】
2019188026.tif 000020
【図１９】
2019188026.tif 000021
【図２０】
2019188026.tif 000022
【図２１】
2019188026.tif 000023
【図２２】
2019188026.tif 000024
【図２３】
2019188026.tif 000025
【図２４】
2019188026.tif 000026
【図２５】
2019188026.tif 000027
【図２６】
2019188026.tif 000028
【図２７】
2019188026.tif 000029